(57)【要約】【課題】非接触ＩＣカードの認証システムにおいて、認証に成功した時にユーザ等が行う実質的にセキュリティ上問題となる行為までもを防止することが難しい。【解決手段】アクティブタグを保持している守衛が読取装置の近くにいるときは、非接触ＩＣカードに対して認証処理を行い、守衛が読取装置の近くにいないときは、非接触ＩＣカードに対して認証処理を行わないという読取装置であって、少なくともＬＦ帯を含む周波数帯でアクティブタグと通信し、アクティブタグの認識処理を行うタグ認識処理手段と、ＨＦ帯で非接触ＩＣカードと通信し、前記タグ認識処理手段がアクティブタグを認識している期間に非接触ＩＣカードの認証処理を行い、前記タグ認識処理手段がアクティブタグを認識している期間以外に非接触ＩＣカードの認証処理を行わないカード認証処理手段とを備えることを特徴とする読取装置。【選択図】図１
2010198049.tif 000002
【特許請求の範囲】
【請求項１】
少なくともＬＦ帯を含む周波数帯でアクティブタグと通信し、アクティブタグの認識処理を行うタグ認識処理手段と、
ＨＦ帯で非接触ＩＣカードと通信し、前記タグ認識処理手段がアクティブタグを認識している期間に非接触ＩＣカードの認証処理を行い、前記タグ認識処理手段がアクティブタグを認識している期間以外に非接触ＩＣカードの認証処理を行わないカード認証処理手段とを備える
ことを特徴とする読取装置。
【請求項２】
前記タグ認識処理手段がアクティブタグを認識している期間は、前記タグ認識処理手段がアクティブタグの認識に成功した時点から所定時間経過するまでの期間であり、
前記タグ認識処理手段は、周期的にアクティブタグに対する質問信号を送信し、前記質問信号に応じてアクティブタグから送信された応答信号を受信し、受信した前記応答信号が所定の識別情報を有することをもってタグ認識処理の成功と扱う
ことを特徴とする請求項１記載の読取装置。
【請求項３】
前記非接触ＩＣカードの認証処理は非接触ＩＣカードに対する起動信号を送信することを含み、
前記カード認証処理手段は、前記タグ認識処理手段がタグの認識を成功した時点から前記所定時間経過するまでの間に限って非接触ＩＣカードに対する起動信号を繰返し送信する
ことを特徴とする請求項２記載の読取装置。
【請求項４】
少なくともＬＦ帯を含む周波数帯でアクティブタグと通信し、アクティブタグの認識処理を行うタグ認識処理手段と、
アクティブタグの認識に係る所定条件が成立する毎に交互に、非接触ＩＣカードの認証処理を行う第一のモードと、非接触ＩＣカードの認証処理を行わない第二のモードとを変更するカード認証処理手段とを備える
ことを特徴とする読取装置。
【請求項５】
請求項１記載の
読取装置と、
アクティブタグと、
非接触ＩＣカードとを備える
ことを特徴とする認証システム。
【請求項６】
少なくともＬＦ帯を含む周波数帯でアクティブタグと通信し、アクティブタグの認識処理を行うタグ認識処理ステップと、
ＨＦ帯で非接触ＩＣカードと通信し、前記タグ認識処理手段がアクティブタグの認識に成功した時点から所定時間経過するまでの間において非接触ＩＣカードの認証処理を行うカード認証処理ステップとを備える
ことを特徴とする認証処理方法。
【発明の詳細な説明】
【技術分野】
【０００１】
本発明は、非接触ＩＣカードに代表される認証媒体から識別情報を読み取る読取装置、及び当該読取装置を備えた認証システムに関する。
【背景技術】
【０００２】
認証システムは、例えば、ユーザがセキュリティエリアの扉脇に設置された読取装置（カードリーダ）に非接触ＩＣカードをかざすと読取装置が非接触ＩＣカードの識別情報を読み取り、読み取った識別情報が読取装置に予め記憶されている識別情報群に含まれていた場合に、扉に設けられている電気錠を解錠するといった形態で運用される。
このような認証システムにおいては、非接触ＩＣカードは読取装置から無線によって供給される電力しか識別情報の送信に用いることができないため、その送信出力では近距離の通信しかできない。この制約により、ユーザが読取装置に非接触ＩＣカードをかざさなければならなくなることから、周囲から守衛等によって十分に監視されている状況下で運用すれば、誰がセキュリティエリアに入ろうとしているのかが周囲から認識されやすくなるため、セキュリティが確保されることになる。
【０００３】
一方、電池を内蔵して、読取装置からの識別情報を要求する要求信号を受けて識別情報を含む応答信号をより遠くまで飛ばせる認証媒体（アクティブタグ）と当該アクティブタグが保持する識別情報を読み取る読取装置（タグリーダ）とを含む認証システムも開発されている（特許文献１）。
【先行技術文献】
【特許文献】
【０００４】
【特許文献１】特開２００８−１７７７７５号公報
【発明の概要】
【発明が解決しようとする課題】
【０００５】
ところで、非接触ＩＣカードを利用した認証システムでは、非接触ＩＣカードを使用するユーザが周囲から守衛等によって監視されていない状況下では、認証に成功した時にユーザ等が行う実質的にセキュリティ上問題となる行為までもを防止することは難しい。
例えば、ユーザがセキュリティエリアの扉脇に設置された読取装置（カードリーダ）に非接触ＩＣカードをかざすと読取装置が非接触ＩＣカードの識別情報を読み取り、読み取った識別情報が読取装置に予め記憶されている識別情報群に含まれていた場合に、扉に設けられている電気錠を解錠するといったシステムでは、ユーザが非接触ＩＣカードを使ってセキュリティエリアへの入室ゲートを開けた時に、非接触ＩＣカードを持っていない人が一緒に入室ゲートを通過してしまう行為（以降、友連れ行為と呼ぶ）が発生してセキュリティの確保ができない場合や、武器等の危険物を携帯しながら入室ゲートを通過してしまう場合等がある。
【０００６】
このような行為を防止するために、入室ゲート付近に守衛を配置して入室ゲートを守衛の監視下に置く等の対策が取られている。
しかしながら、例えば、急な来客に守衛が対応する場合や、不意な危険事態を守衛が処理する場合といった、予め予定されていない出来事によって、守衛が持ち場（入室ゲートの周囲）を離れてしまう場合が発生することがあり、守衛が持ち場を離れ、入室ゲートが守衛の監視下ではなくなってしまうといった状況が発生する可能性がある。
【０００７】
そこで、本発明は係る問題に鑑みてなされたものであり、高度なセキュリティシステムの確保のため、周囲に監視者がいない場合に非接触ＩＣカードの認証に成功してしまわないようにする読取装置、及び認証システムを提供することを目的とする。
【課題を解決するための手段】
【０００８】
上記問題を解決するために本発明に係る読取装置は、少なくともＬＦ帯を含む周波数帯でアクティブタグと通信し、アクティブタグの認識処理を行うタグ認識処理手段と、ＨＦ帯で非接触ＩＣカードと通信し、前記タグ認識処理手段がアクティブタグを認識している期間に非接触ＩＣカードの認証処理を行い、前記タグ認識処理手段がアクティブタグを認識している期間以外に非接触ＩＣカードの認証処理を行わないカード認証処理手段とを備えることを特徴とする。また、本発明に係る認証システムは、上述の読取装置、アクティブタグ、非接触ＩＣカードを備えることを特徴とする。
【０００９】
ここで、アクティブタグを認識している期間とは、読取装置から所定の範囲内にアクティブタグが存在していると推定される期間のことをいい、読取装置とアクティブタグとが正しく通信してから次の通信から所定時間待っても応答がないなどにより通信失敗が検出されるまでの間は、読取装置と正しく通信する範囲内にアクティブタグが存在している期間であると推定的に判断する。
【発明の効果】
【００１０】
上述の構成を備える本発明に係る読取装置は、読取装置から所定の範囲内にアクティブタグが存在している期間にのみ非接触ＩＣカードの認証処理を行い、読取装置から所定の範囲内にアクティブタグが存在している期間以外には非接触ＩＣカードの認証処理を行わないようにすることができる。
例えば、読取装置を監視する監視者にアクティブタグを持たせるようにすれば、監視者が読取装置を監視できる範囲内にいる期間のみ、読取装置は非接触ＩＣカードの認証処理を行い、それ以外の期間は非接触ＩＣカードの認証を行わないようにするといった使い方ができるようになる。
【００１１】
また、前記タグ認識処理手段がアクティブタグを認識している期間は、前記タグ認識処理手段がアクティブタグの認識に成功した時点から所定時間経過するまでの期間であり、前記タグ認識処理手段は、周期的にアクティブタグに対する質問信号を送信し、前記質問信号に応じてアクティブタグから送信された応答信号を受信し、前記受信した応答信号が所定のＩＤ（識別子）を有することをもってタグ認識処理の成功と扱うとしてもよい。
【００１２】
これにより、例えば、読取装置を監視する監視者にアクティブタグを持たせるようにすれば、読取装置は、監視者が読取装置を監視できる範囲にいる期間を、読取装置がアクティブタグの認識に成功した時点から所定時間（例えば３６０ｍｓ）経過するまでの期間とすることができるため、アクティブタグの認識に成功することによって、監視者が読取装置を監視できる範囲にいるとすることが可能となる。
【００１３】
さらに、例えば、監視者が持つアクティブタグが所定のＩＤを持つかどうかを確認しつつ周期的に読取装置から所定の範囲内に監視者がいるかどうかを確認することができるため、読取装置はより高いセキュリティを維持することができる。
また、前記非接触ＩＣカードの認証処理は非接触カードに対する起動信号を送信することを含み、前記カード認証処理手段は、前記タグ認識処理手段がタグの認識を成功した時点から前記所定時間経過するまでの間に限って非接触ＩＣカードに対する起動信号を繰返し送信することとしてもよい。
【００１４】
これにより、非接触ＩＣカードの認証処理を行う期間に限って、非接触ＩＣカードに対する起動信号を送信するため、電力消費を抑えることが可能となる。
また、本発明に係る読取装置は、少なくともＬＦ帯を含む周波数帯でアクティブタグと通信し、アクティブタグの認識処理を行うタグ認識処理手段と、アクティブタグの認識に係る所定条件が成立する毎に交互に、非接触ＩＣカードの認証処理を行う第一のモードと、非接触ＩＣカードの認証処理を行わない第二のモードとを変更するカード認証処理手段とを備えることを特徴とする。
【００１５】
これにより、例えば、読取装置を監視する監視者がアクティブタグのボタンを押下する等のアクティブタグに所定の操作をすることによって、読取装置のタグ認識処理手段の第一のモードと第二のモードとの変更を行えるようにしておけば、監視者の判断によって非接触ＩＣカードの認証処理を行うか否かの変更を行うことが可能となる。
【図面の簡単な説明】
【００１６】
【図１】入室管理システム１０００のシステム構成図である。
【図２】アクティブタグ１１０の機能ブロック図である。
【図３】非接触ＩＣカード１２０の機能ブロック図である。
【図４】読取装置１００の機能ブロック図である。
【図５】（ａ）はタグ質問信号の構成を示す図であり、（ｂ）はタグ応答信号の構成を示す図である。
【図６】読取装置１００のタグ認識処理を示すフローチャートである。
【図７】読取装置１００のカード認証処理を示すフローチャートである。
【図８】アクティブタグ１１０の処理を示すフローチャートである。
【図９】非接触ＩＣカード１２０の処理を示すフローチャートである。
【図１０】実施の形態１に係る認証システムの具体的動作を説明するための図である。
【図１１】実施の形態１に係る認証システムの具体的動作を説明するための図である。
【図１２】実施の形態２におけるカード認証処理を示すフローチャートである。
【図１３】実施の形態２に係る認証システムの具体的動作を説明するための図である。
【図１４】実施の形態３におけるタグ認識処理を示すフローチャートである。
【図１５】実施の形態３に係る認証システムの具体的動作を説明するための図である。
【発明を実施するための形態】
【００１７】
＜実施の形態１＞
以下、本発明に係る読取装置及び認証システムの一実施形態として、認証により入室の管理を行う入室管理システムについて説明する。
＜概要＞
実施の形態１に係る入室管理システムは、管理サーバに予め登録されているタグＩＤ（タグ識別子）を持つアクティブタグを常に保持している守衛が読取装置の近くにいるときは、非接触ＩＣカードに対して認証処理を行い、守衛が読取装置の近くにいないときは、非接触ＩＣカードに対して認証処理を行わないという読取装置を含んで構成される。
【００１８】
この読取装置は、普段施錠されている入室ゲートの付近に配置され、アクティブタグにＬＦ帯（１２０〜１４０ＫＨｚ）にて、アクティブタグへの問いかけ信号であるタグ質問信号を一定周期で繰り返し送信し、タグ質問信号の受信可能なエリアに存在するアクティブタグから、自装置の識別情報であるタグＩＤを含ませてＵＨＦ帯（３００ＭＨｚ〜３ＧＨｚ）にて返信されるタグ応答信号を受信する。
【００１９】
また、読取装置は、非接触ＩＣカードにＨＦ帯（１３．５６ＭＨｚ）にて非接触ＩＣカードへの問いかけ信号であるカード起動信号を送信し、カード起動信号の受信可能な範囲に存在する非接触ＩＣカードから、自装置の識別情報であるカードＩＤ（カード識別子）を含ませてＨＦ帯にて返信されるカード返信信号を受信する。
そして、この読取装置は、予め登録されているタグＩＤをもつアクティブタグを認識している期間、ここでは、アクティブタグと通信し、アクティブタグのタグＩＤが、予め登録されているタグＩＤと一致していると判断した時点から一定期間に、非接触ＩＣカードの認証に成功することができるようにして、予め登録されているタグＩＤを持つアクティブタグを認識していない期間に、非接触ＩＣカードの認証に成功することができないようになっている。
【００２０】
普段施錠されている入室ゲートは、この読取装置が非接触ＩＣカードの認証に成功した時点で解錠装置によって解錠され、解錠されてから一定時間経過した時点で再び施錠される。
＜構成＞
以下、入室管理システム１０００の構成について説明する。
【００２１】
＜入室管理システム＞
図１は、入室管理システム１０００のシステム構成図である。
同図に示すように、入室管理システム１０００は、読取装置１００と、アクティブタグ１１０（１１０ａ、１１０ｂ）と、非接触ＩＣカード１２０と、管理サーバ１３０と、入室ゲート１４０と、入室ゲート１４０の鍵を解錠する解錠装置１５０とによって構成される。
【００２２】
なお、同図には、アクティブタグ１１０を所有する守衛１８０、非接触ＩＣカード１２０を所有するユーザ１７０をも示しており、守衛１８０がタグ認識可能エリア１６０（後述）内にいる場合と、タグ認識可能エリア１６０外にいる場合とを併せて表現している。
管理サーバ１３０は複数の読取装置と接続しているが、ここでは便宜上、そのうちの１つである読取装置１００とだけ接続しているものとして説明する。
【００２３】
読取装置１００と管理サーバ１３０とは有線接続され、互いに信号の送受信を行うことができるようになっており、読取装置１００と解錠装置１５０とは有線接続されている。
解錠装置１５０は読取装置１００からの解錠信号を受信すると入室ゲート１４０の鍵を解錠し、解錠してから一定時間経過した時点で、入室ゲート１４０の鍵を施錠する。
管理サーバ１３０は、読取装置１００から受信したアクセス履歴を記録する機能と、入室許可者リストと入室ゲート守衛リストとを記憶している。
【００２４】
ここで、アクセス履歴とは、読取装置が非接触ＩＣカードのカード返信信号を受信した際の、受信時刻とカードＩＤとの記録であり、入室許可者リストとは、入室管理システム１０００の管理者等によって定められる、各入室ゲートに対応する読取装置ＩＤとそのゲートから入室を許可されたユーザが所有する非接触ＩＣカードのカードＩＤとを対応付けたデータであり、入室ゲート守衛リストとは、各入室ゲートに対応する読取装置ＩＤとその入室ゲートを監視する守衛が所有するアクティブタグのタグＩＤとを対応付けたデータである。
【００２５】
また、管理サーバ１３０は、入室許可者リストや入室ゲート守衛リストが入室管理システム１０００の管理者等により更新される毎に、更新されたデータを読取装置１００に送信する。これによって、読取装置１００は最新の入室許可者のリストや入室ゲート守衛のリストを入手する。
読取装置１００は、入室ゲート１４０の近くに配置され、アクティブタグ１１０に対して自装置の読取装置ＩＤを含むタグ質問信号（図５（ａ）参照）をＬＦ帯にて送信する機能と、アクティブタグ１１０からＵＨＦ帯にて送信されたタグ応答信号（図５（ｂ）参照）を受信する機能と、非接触ＩＣカード１２０に対する起動信号をＨＦ帯にて送信し、非接触ＩＣカード１２０からのＨＦ帯によるカード返信信号を受信する機能とを備え、管理サーバ１３０から送信される、入室許可者のリストと、入室ゲート守衛のリストとを受信し、記憶し、ユーザが非接触ＩＣカード１２０を読取装置１００にかざした場合に、その時刻と非接触ＩＣカードのカードＩＤとをアクセス履歴として、管理サーバ１３０へ送信する機能を有している。
【００２６】
アクティブタグ１１０を読取装置１００が認識できる範囲は、読取装置１００からＬＦ帯にて送信されるタグ質問信号を、アクティブタグ１１０が正しく受信できる範囲に限られていて、図１ではタグ認識可能エリア１６０として表現している。
＜アクティブタグ＞
以下、アクティブタグ１１０の構成について説明する。
【００２７】
図２は、アクティブタグ１１０の主要部の構成を示すブロック図である。
アクティブタグ１１０はＣＰＵ（中央処理装置）とメモリと通信機構とを含み、同図に示すようにＬＦ帯受信器３１０と、ＬＦ帯用アンテナ３１１と、ＵＨＦ帯送信器３２０と、ＵＨＦ帯用アンテナ３２１と、ボタン３３０と、電池３４０と、制御部３５０と、タイマ３６０と、スイッチ３７０とを備える。
【００２８】
ＬＦ帯受信器３１０は、読取装置１００から送信されたタグ質問信号をＬＦ帯用アンテナ３１１から受信し、制御部３５０に伝達する機能を有している。
ＵＨＦ帯送信器３２０は、制御部３５０から受け取ったタグ応答信号をＵＨＦ帯にてＵＨＦ帯用アンテナ３２１から送信する機能を有している。
ボタン３３０は、このボタン３３０がユーザにより押下された場合に、その旨の信号を制御部３５０に伝達する機能を有している。
【００２９】
スイッチ３７０は、ユーザにより操作され、その旨の信号を制御部３５０に伝達する機能を有している。
電池３４０は、アクティブタグ１１０の各部に対し電力を供給する機能を有している。
制御部３５０は、自器のタグＩＤを記憶し、ＬＦ帯受信器３１０を介して受信したタグ質問信号に含まれている読取装置ＩＤと、タグＩＤとからタグ応答信号を作成し、タグ質問信号に含まれているＵＨＦチャネルの周波数帯を用いてＵＨＦ帯送信器３２０を介して読取装置１００に送信する機能を有している。
【００３０】
また、制御部３５０は、タグ質問信号を受信した時に応答信号を送信する自動認識モードと、ボタン３３０が押下された時に応答信号を送信する手動認識モードとからなる認識モードを記憶しており、ユーザは、スイッチ３７０を通じて、認識モードが自動認識モードであるか、手動認識モードであるか変更することができる。
実施の形態１では、アクティブタグ１１０は自動認識モードに設定されていることを前提として説明する。
【００３１】
＜非接触ＩＣカード＞
以下、非接触ＩＣカード１２０の構成について説明する。
図３は、非接触ＩＣカード１２０の主要部の構成を示すブロック図である。
非接触ＩＣカード１２０は、同図に示すようにＨＦ帯送受信器４１０と、制御部４２０と、ＨＦ帯用アンテナ４１１とを備える。
【００３２】
ＨＦ帯送受信器４１０は、読取装置１００から送信されたカード起動信号をＨＦ帯用アンテナ４１１から受信し、制御部４２０に伝達する機能と、制御部４２０から送られてきたカード返信信号をＨＦ帯用アンテナ４１１から送信する機能を有する。
制御部４２０は、自器のカードＩＤを記憶し、ＨＦ帯送受信器４１０を介して受信したカード起動信号から、カードＩＤを含めたカード返信信号を作成し、ＨＦ帯送受信器４１０を介して読取装置１００に送信する機能を有する。
【００３３】
＜読取装置＞
以下、読取装置１００の構成について詳細に説明する。
図４は読取装置１００の主要部の機能構成を示すブロック図である。
読取装置１００は、ＣＰＵとメモリと通信機構とを含み、機能面において図４に示すように、インターフェース部２１０と、操作部２２０と、通知部２３０と、解錠信号送信部２４０と、タイマ２５０と、タグ認識処理装置２７５と、カード認証処理装置２８５と、制御部２９０とを備える。
【００３４】
タグ認識処理装置２７５は、ＬＦ帯送信器２６０と、ＬＦ帯用アンテナ２６１と、ＵＨＦ帯受信器２７０と、ＵＨＦ帯用アンテナ２７１と、タグ制御部２９１とから構成される。ここで、タグ制御部２９１はＬＦ帯送信器２６０とＵＨＦ帯受信器２７０と信号のやり取りを行い、アクティブタグ１１０との通信を制御し、内部に非接触ＩＣカード１２０の認証を許可するか否かの状態をカード認証許可フラグ（許可する場合カード認証許可フラグが１、許可しない場合カード認証許可フラグが０）として保持するタグ状態保持部２９２を含む。
【００３５】
カード認証処理装置２８５は、ＨＦ帯送受信器２８０と、ＨＦ帯用アンテナ２８１と、カード制御部２９３とから構成され、カード制御部２９３はＨＦ帯送受信器２８０と信号のやり取りを行い、非接触ＩＣカード１２０との通信を制御する。
タグ認識処理装置２７５は、周期的に（ここでは３６０ｍｓ毎）タグ質問信号をＬＦ帯にてＬＦ帯用アンテナ２６１から送信し、アクティブタグ１１０からＵＨＦ帯にて返信されるタグ応答信号をＵＨＦ帯用アンテナ２７１から受信する。
【００３６】
タグ認識処理装置２７５は、タグ応答信号を受信すると、タグ応答信号に含まれる読取装置ＩＤが自装置の読取装置ＩＤであり、アクティブタグのタグＩＤが、管理サーバ１３０から送信された、入室ゲート１４０に対応する入室ゲート守衛リストに含まれるアクティブタグのタグＩＤ（以後、登録タグＩＤと呼ぶ）であった場合にこのアクティブタグ１１０の認識に成功したと判断し、タグ状態保持部２９２がカード認証許可フラグを１として保持する。
【００３７】
カード認証処理装置２８５は、アクティブタグ１１０が認識されている時すなわち、タグ状態保持部２９２がカード認証許可フラグを１として保持している期間、カード起動信号を周期的に（ここでは５０ｍｓ毎）ＨＦ帯にてＨＦ帯用アンテナ２８１から送信し、非接触ＩＣカードからＨＦ帯にて返信されるカード返信信号をＨＦ帯用アンテナ２８１から受信する。
【００３８】
このとき、カード認証処理装置２８５は、カード返信信号に含まれるカードＩＤが、管理サーバ１３０から送信された、入室ゲート１４０に対応する入室許可者リストに含まれる非接触ＩＣカードのカードＩＤ（以後、登録カードＩＤと呼ぶ）であった場合にこの非接触ＩＣカード１２０の認証に成功したと判断する。
インターフェース部２１０は、有線によって管理サーバ１３０と通信し、管理サーバ１３０から送信される入室許可者のリストや入室ゲート守衛のリストを受信し、管理サーバ１３０に対してアクセス履歴として送信する。
【００３９】
操作部２２０は、読取装置１００の設定（例えばタグ質問信号の強度の設定等）等を切り換えるスイッチ群を含むものであり、入室管理システム１０００の管理者等が操作したスイッチに対応する信号を制御部２９０に伝達する機能を有する。
通知部２３０は、発光ダイオード等を含むものであり、タグ状態保持部２９２のカード認証許可フラグが１である場合に表示ランプを点灯し、カード認証許可フラグが０である場合に表示ランプを消灯する機能を有する。
【００４０】
解錠信号送信部２４０は、制御部２９０から送られてきた解錠信号を、解錠装置１５０に送信する機能を有する。
タイマ２５０は、制御部２９０と接続し、時間を計測する機能を有する。
制御部２９０は、タイマ２５０と、タグ認識処理装置２７５と、カード認証処理装置２８５と接続され、読取装置１００の全体を制御する機能の他、インターフェース部２１０を介して、管理サーバ１３０から送られてき入室ゲート守衛リストと入室許可者リストを記憶し、操作部２２０から送られてきた読取装置の設定を記憶する機能、記憶した設定をタグ認識処理装置２７５に伝達する機能、通知部２３０へ表示ランプ点灯信号を送信する機能、解錠信号送信部２４０へ解錠信号を送信する機能、タイマ２５０を使って時間を計測する機能等を有する。
【００４１】
＜アクティブタグと非接触ＩＣカードが用いる通信信号＞
以下、入室管理システム１０００において、読取装置１００とアクティブタグ１１０との通信と、読取装置１００と非接触ＩＣカード１２０との通信とで使用される通信信号について説明する。
＜タグ質問信号＞
以下、タグ認識処理装置２７５が生成するタグ質問信号について説明する。
【００４２】
図５（ａ）は、タグ質問信号の構成を示す図である。
同図に示すように、タグ質問信号は、ＰＲ（PReamble）１１と、ＵＨＦチャネル１３と、読取装置ＩＤ１５と、ＣＲＣ（Cyclic Redundancy Check）１６とから構成される。
ここで、ＰＲ１１は、タグ質問信号始まりを示す同期信号であり、ＣＲＣ１６は、タグ質問信号に誤りが発生しているか否かを検出するための信号である。
【００４３】
ＵＨＦチャネル１３は、タグ認識処理装置２７５により送信されたタグ質問信号を受信したアクティブタグ１１０がタグ応答信号を送信する際のチャネル（周波数帯）を指定するためのデータであり、ＵＨＦ帯に含まれる複数の周波数帯のうちのいずれか１つの周波数帯を指定するものである。
読取装置ＩＤ１５は、読取装置１００の識別情報である。
【００４４】
＜タグ応答信号＞
以下、アクティブタグ１１０が生成するタグ応答信号について説明する。
図５（ｂ）は、タグ応答信号の構成を示す図である。
同図に示すように、タグ応答信号は、ＰＲ２１と、読取装置ＩＤ２３と、タグＩＤ２４と、ＣＲＣ２５とから構成される。
【００４５】
ここで、ＰＲ２１は、タグ応答信号始まりを示す同期信号であり、ＣＲＣ１６は、タグ応答信号に誤りが発生しているか否かを検出するための信号である。
読取装置ＩＤ２３としては、アクティブタグ１１０が受信したタグ質問信号に含まれている読取装置１００の識別情報が設定される。
タグＩＤ２４としては、タグＩＤが設定される。
【００４６】
＜カード起動信号、カード返信信号＞
カード起動信号、及びカード返信信号は、図には示していないが、従来から知られている非接触ＩＣカードシステムで用いられているものと同様のものである。
＜動作＞
以下、上記構成を備える入室管理システム１０００の動作を説明する。
【００４７】
＜読取装置＞
以下、読取装置１００の動作について説明する。
図６はタグ認識処理装置２７５が行う、アクティブタグの認識処理を示すフローチャートである。
タグ制御部２９１は、自装置の持つ読取装置ＩＤとＵＨＦチャネル等に基づいてタグ質問信号を作成し、アクティブタグの認識処理を開始する。
【００４８】
ＬＦ帯送信器２６０は、ＬＦ帯用アンテナ２６１を介して、タグ質問信号を送信し、タグ制御部２９１は、タイマ２５０を使って、所定時間Ｔ１（ここでは３６０ｍｓ）と所定時間Ｔ２（ここでは３６０ｍｓ）の時間の計測を開始する（ステップＳ１１０）。
タグ制御部２９１は、タグ質問信号を送信してから所定時間Ｔ１内に、ＵＨＦ帯受信器２７０を介してタグ応答信号を受信したか否かを判定し（ステップＳ１２０）、タグ応答信号を受信した場合には（ステップＳ１２０：Ｙｅｓ）、受信したタグ応答信号に読取装置１００の識別情報である読取装置ＩＤ１５と、登録タグＩＤとが含まれているか否かを判定し（ステップＳ１３０）、読取装置ＩＤ１５と登録タグＩＤとが含まれる場合には（ステップＳ１３０：Ｙｅｓ）、タグの認識に成功したと判断し、タグ状態保持部２９２で保持しているカード認証許可フラグを１に設定する（ステップＳ１４０）。
【００４９】
ステップＳ１２０において、所定時間Ｔ１内にタグ応答信号を受信しなかった場合（Ｓ１２０：Ｎｏ）又は、ステップＳ１３０において、受信したタグ応答信号に読取装置１００の読取装置ＩＤ１５が含まれていない場合もしくは、読取装置１００が予め保持しているタグＩＤが含まれていない場合（ステップＳ１３０：Ｎｏ）には、タグの認識に成功しなかったと判断し、タグ制御部２９１は、タグ状態保持部２９２で保持しているカード認証許可フラグを０に設定する（ステップＳ１４５）。
【００５０】
ステップＳ１４０の処理を完了した場合、もしくは、ステップＳ１４５の処理を完了した場合には、タグ制御部２９１は、タグ質問信号を送信してから所定時間Ｔ２が経過するまで待機し（ステップＳ１５０）、Ｔ２時間経過すると、再びステップＳ１１０の処理を開始する。
図７は、カード認証処理装置２８５が行う、非接触ＩＣカードの認証処理を示すフローチャートである。
【００５１】
カード制御部２９３はカード起動信号を作成し、非接触ＩＣカードの認証処理を開始する。
カード制御部２９３は、タグ状態保持部２９２で保持しているカード認証許可フラグが１であるか否かを判定し（ステップＳ２１０）、ＨＦ帯送受信器２８０は、ＨＦ帯用アンテナ２８１を介してカード起動信号を送信し、カード制御部２９３は、タイマ２５０を使って所定時間Ｔ３（ここでは５０ｍｓ）の時間の計測を開始する（ステップＳ２４０）。
【００５２】
カード制御部２９３は、ステップＳ２１０において、カード認証許可フラグが１でない場合には（ステップＳ２１０：Ｎｏ）、再びステップＳ２１０の処理を開始し、ステップＳ２１０の処理を繰り返す。
カード制御部２９３は、カード起動信号を送信してから所定時間Ｔ３内に、ＨＦ帯送受信器２８０を介してカード返信信号を受信したか否かを判定し（ステップＳ２５０）、カード返信信号を受信した場合には（ステップＳ２５０：Ｙｅｓ）、受信したカード返信信号のカードＩＤと受信時刻とをアクセス履歴として、インターフェース部２１０を介して管理サーバ１３０へ送信する（ステップＳ２５５）。
【００５３】
カード制御部２９３は、受信したカード返信信号に登録カードＩＤが含まれるか否かを判定し（ステップＳ２６０）、登録カードＩＤが含まれる場合（ステップＳ２６０：Ｙｅｓ）には、カードの認証に成功したと判断し、解錠信号送信部２４０を通じて解錠装置１５０に対して、入室ゲート１４０の鍵を解錠するように指示する解錠信号を出力する（ステップＳ２７０）。
【００５４】
ステップＳ２５０において、所定時間Ｔ３内にカード返信信号を受信しなかった場合（ステップＳ２５０：Ｎｏ）、もしくは、ステップＳ２６０において、読取装置１００が予め保持しているカードＩＤが含まれない場合（ステップＳ２６０：Ｎｏ）には、カードの認証に成功しなかったと判断し、再びステップＳ２１０の処理を開始する。
＜アクティブタグ＞
以下、アクティブタグ１１０の動作について説明する。
【００５５】
図８は、アクティブタグ１１０がタグ質問信号を受信した際の処理を示すフローチャートである。
実施の形態１では、アクティブタグ１１０は自動認識モードに設定されていることを前提とした例であるので、ここでは、自動認識モードの場合の説明をする。なお、アクティブタグ１１０が手動認識モードに設定されている場合については、後述（実施の形態３で説明）する。
【００５６】
アクティブタグ１１０のＬＦ帯受信器３１０は、ＬＦ帯用アンテナ３１１を介して読取装置１００から送信されたタグ質問信号を受信すると、受信したタグ質問信号を制御部３５０に送信する（ステップＳ３１０）。
制御部３５０は、記憶している認識モードが手動認識モードであるか否かを判定する（ステップＳ３２０）。
【００５７】
認識モードが自動認識モードであるので（ステップＳ３２０：Ｎｏ）、制御部３５０は、タグ質問信号に含まれる読取装置ＩＤ１５と、自器のタグＩＤとを含めたタグ応答信号を生成し、受信したタグ質問信号に含まれるＵＨＦチャネル１３で指定された周波数帯にて、ＵＨＦ帯送信器３２０にタグ応答信号を送信させて（ステップＳ３４０）、アクティブタブ１１０の動作が終了する。
【００５８】
＜非接触ＩＣカード＞
以下、非接触ＩＣカード１２０の動作について説明する。
図９は、非接触ＩＣカード１２０がカード起動信号を受信した際の処理を示すフローチャートである。
非接触ＩＣカード１２０のＨＦ帯送受信器４１０は、ＨＦ帯用アンテナ４１１を介して読取装置１００から送信されたカード起動信号を受信すると、受信したカード起動信号を制御部４２０に送信する（ステップＳ４１０）。
【００５９】
制御部４２０は、自器のカードＩＤを含めたカード返信信号を作成し、ＨＦ帯にて、ＨＦ帯送受信器４１０を介して、カード返信信号を送信させて（ステップＳ４２０）、非接触ＩＣカード１２０の動作を終了する。
＜具体例＞
読取装置１００、アクティブタグ１１０、非接触ＩＣカード１２０の動作を、具体的な運用場面例に即して説明する。
【００６０】
図１に示すように、入室ゲート１４０の近くに読取装置１００が設置され、入室ゲート１４０を監視する守衛１８０が、登録タグＩＤを含み自動認識モードに設定されているアクティブタグ１１０を所持し、入室ゲート１４０を通り抜けようとしているユーザ１７０が、登録カードＩＤを持つ非接触ＩＣカード１２０を読取装置１００にかざすことによって、解錠装置１５０で入室ゲート１４０にかかっている鍵を解錠する場面について具体例として説明する。
【００６１】
（１）読取装置１００がアクティブタグ１１０を認識できる領域内にアクティブタグ１１０を持つ守衛がいる場合
図１０は、読取装置１００と、読取装置１００がアクティブタグ１１０を認識できる領域にいて入室ゲート１４０を監視中の守衛１８０が保持しているアクティブタグ１１０と、入室ゲート１４０の鍵を解錠しようとするユーザが保持している非接触ＩＣカード１２０との間の信号のやりとりと、その時の読取装置１００の動作を模式的に示したものである。
【００６２】
時刻ｔ０に、タグ認識処理装置２７５は、ＬＦ帯で、読取装置ＩＤを含んだタグ質問信号を送信する（ステップＳ１１０）。
守衛１８０は入室ゲート１４０を監視中であって、読取装置１００がアクティブタグ１１０を受信できる範囲内にいるため、守衛１８０が保持しているアクティブタグ１１０ａ（図１０中のタグＡ１１１）は、読取装置１００からのタグ質問信号を受信し、読取装置１００の読取装置ＩＤと、自器のタグＩＤとを含むタグ応答信号を作成し、ＵＨＦ帯でタグ応答信号を送信する（ステップＳ３１０〜Ｓ３４０）。
【００６３】
タグ認識処理装置２７５は、タグ質問信号送信から所定時間Ｔ１以内にタグ応答信号を受信し、タグ応答信号に含まれている読取装置ＩＤが自身の読取装置ＩＤと一致し、タグＩＤが登録タグＩＤと一致することを確認することとなるので、タグの認識に成功したと判断し、タグ状態保持部２９２のカード認証許可フラグを１に設定する（状態１００１：ステップＳ１２０〜Ｓ１４０）。
【００６４】
状態１００１において、カード認証処理装置２８５は、タグ状態保持部２９２のカード認証許可フラグが１になると、ＨＦ帯の信号としてカード起動信号を送信する（ステップＳ２１０〜Ｓ２４０）。
カード認証処理装置２８５がカード起動信号を送信してから所定時間Ｔ３までの間、ユーザが登録カードＩＤを持つカードＡ１２１を読取装置１００にかざすと、カードＡ１２１はカード起動信号を受信し、自器のカードＩＤを含むカード返信信号を作成し、受信したカード起動信号と同じＨＦ帯の信号として送信する（ステップＳ４１０、Ｓ４２０）。
【００６５】
カード認証処理装置２８５は、所定時間Ｔ３以内にカード返信信号を受信し、受信したカード返信信号のカードＩＤと受信時刻とをアクセス履歴として管理サーバ１３０へ送信し、そのカードＩＤが登録カードＩＤと一致することを確認することとなるので、カードの認証に成功したと判断し、入室ゲート１４０の鍵を解錠するように指示する解錠信号を解錠装置１５０に送信し（ステップＳ２５０〜Ｓ２７０）、入室ゲート１４０が解錠される。
【００６６】
次にカード認証処理装置２８５は、ステップＳ２１０から処理を開始し、カードＢ１２２に対する場合もカードＡの場合と同様の動作によって、カードの認証に成功したと判断し、入室ゲート１４０が解錠される。
時刻ｔ１になると、タグ認識処理装置２７５は、再びタグ質問信号を送信する（ステップＳ１１０）。
【００６７】
時刻ｔ０の時と同様に、守衛１８０は入室ゲート１４０を監視中であって、読取装置１００がアクティブタグ１１０を受信できる範囲内にいるため、タグの認識に成功したと判断し、タグ状態保持部２９２のカード認証許可フラグを１に設定する（状態１００４：ステップＳ１２０〜Ｓ１４０）。
状態１００４において、カード認証処理装置２８５は、カード認証許可フラグが１なので、ＨＦ帯の信号としてカード起動信号を送信する（ステップＳ２１０〜Ｓ２４０）。
【００６８】
カード認証処理装置２８５がカード起動信号を送信してから所定時間Ｔ３までの間、ユーザが登録カードＩＤを持つカードを読取装置１００にかざさないと、読取装置１００はカード返信信号を受信しないので、カードの認証に成功しなかったと判断し（ステップＳ２５０：Ｎｏ）、入室ゲート１４０は解錠されない（状態１００５）。
次にカード認証処理装置２８５は、登録カードＩＤを持つカードＣ１２２が読取装置１００にかざされると、カードＡの場合と同様の動作によって、カードの認証に成功したと判断し、入室ゲート１４０が解錠される（状態１００６）。
【００６９】
（２）読取装置１００がアクティブタグ１１０を認識できる領域内にアクティブタグ１１０を持つ守衛がいない場合
図１１は、図１０中の時刻ｔ２後において、守衛１８０が急なトラブルに対処するため、読取装置１００がアクティブタグ１１０を認識できる領域外へと移動し、時刻ｔ３となった時点以降の読取装置１００とアクティブタグ１１０と非接触ＩＣカード１２０との間の信号のやりとりと、その時の読取装置１００の動作を模式的に示したものである。
【００７０】
図１０との違いは、守衛１８０が保持しているアクティブタグ１１０ｂは読取装置１００がアクティブタグ１１０を認識できる領域の外に存在し、タグ質問信号を受信しないため、タグの処理が開始せず、タグ応答信号を送信しないという点にある。
時刻ｔ３に、タグ認識処理装置２７５はタグ質問信号を送信するが、所定時間Ｔ１内にタグ応答信号を受信しないため、タグの認識に成功しなかったと判断し、タグ状態保持部２９２のカード認証許可フラグを０に設定する（状態１１０１：ステップＳ１２０：Ｎｏ〜Ｓ１４５）。
【００７１】
状態１１０１において、カード認証処理装置２８５は、カード認証許可フラグが０なのでカード認証許可フラグが１になるまでカード起動信号を送信せず、従って解錠信号を出力することもない。
以降は、タグ状態保持部２９２が保持しているカード認証許可フラグが０である期間である限り、カードＡ１２１、カードＢ１２２、カードＣ１２３を読取装置１００にかざしても、読取装置１００からのカード起動信号を受信しないため、カードはカード返信信号を送信しない。
＜実施の形態２＞
実施の形態２は、実施の形態１で示した入室管理システム１０００の一部であるカード認証処理装置２８５を変形した形態である。
【００７２】
実施の形態１では、入室管理システム１０００に含まれるカード認証処理装置２８５は、タグ状態保持部２９２が保持しているカード認証許可フラグが１を保持している場合に限って、非接触ＩＣカードにカード起動信号を送信し、受信したカード返信信号のカードＩＤと受信時刻とをアクセス履歴としてインターフェース部２１０を介して管理サーバ１３０へ送信した。このカード認証処理装置２８５を変形した実施の形態２に係るカード認証処理装置（以下、変形カード認証処理装置という。）は、カード認証許可フラグの値に関わらず、非接触ＩＣカードにカード起動信号を送信し、非接触ＩＣカードからのカード返信信号を受信すると、受信したカード返信信号のカードＩＤと受信時刻とをアクセス履歴として管理サーバ１３０へ送信するという処理を行う。
【００７３】
以下、実施の形態１で示したものと変更のない点についての説明は省略し、変更ある点を重点的に説明する。
＜構成＞
変形カード認証処理装置は、ＨＦ帯送受信器２８０と、ＨＦ帯用アンテナ２８１と、カード制御部２９３とから構成され、カード制御部２９３はＨＦ帯送受信器２８０と信号のやり取りを行い、非接触ＩＣカード１２０との通信を制御する。
【００７４】
また、変形カード認証処理装置は、アクティブタグ１１０が認識されているか否かにかかわらず、カード起動信号を周期的に（ここでは５０ｍｓ毎）ＨＦ帯にてＨＦ帯用アンテナ２８１から送信し、非接触ＩＣカードからＨＦ帯にて返信されるカード返信信号をＨＦ帯用アンテナ２８１から受信する。
このとき、変形カード認証処理装置は、カード返信信号に含まれるカードＩＤが、登録カードＩＤであった場合にこの非接触ＩＣカード１２０を認証する。  ＜動作＞
図１２は、読取装置１００の変形カード認証処理装置が行う、非接触ＩＣカードの処理を示すフローチャートである。
【００７５】
カード制御部２９３はカード起動信号を作成し、非接触ＩＣカードの処理を開始する。
カード制御部２９３のＨＦ帯送受信器２８０は、ＨＦ帯用アンテナ２８１を介して、カード起動信号を送信し、カード制御部２９３は、タイマ２５０を使って、所定時間Ｔ３（ここでは５０ｍｓ）の時間の計測を開始する（ステップＳ５３０）。
カード制御部２９３は、カード起動信号送信から所定時間Ｔ３内に、ＨＦ帯送受信器２８０を介してカード返信信号を受信したか否かを判定し（ステップＳ５４０）、カード返信信号を受信した場合には（ステップＳ５４０：Ｙｅｓ）、受信したカード返信信号のカードＩＤと受信時刻とをアクセス履歴としてインターフェース部２１０を介して管理サーバ１３０へ送信する（ステップＳ５５０）。
【００７６】
カード制御部２９３は、受信したカード返信信号に登録カードＩＤが含まれるか否かを判定し（ステップＳ５６０）、登録カードＩＤが含まれる場合（ステップＳ５６０：Ｙｅｓ）には、カードの認証に成功したと判断し、タグ状態保持部２９２で保持しているカード認証許可フラグが１であるか否かを判定し（ステップＳ５７０）、カード認証許可フラグが１である場合には（ステップＳ５７０：Ｙｅｓ）、解錠信号送信部２４０を通じて解錠装置１５０に対して、入室ゲート１４０の鍵を解錠するように指示する解錠信号を出力する（ステップＳ５８０）。
【００７７】
ステップＳ５４０において、所定時間Ｔ３内にカード返信信号を受信しなかった場合（ステップＳ５４０：Ｎｏ）、もしくは、ステップＳ５６０において、登録カードＩＤが含まれない場合（ステップＳ５６０：Ｎｏ）、もしくはステップＳ５７０において、カード認証許可フラグが０である場合（ステップＳ５７０：Ｎｏ）には、カードの認証に成功しなかったと判断し、再びステップＳ５３０の処理を開始する。
【００７８】
＜具体例＞
実施の形態２における、読取装置１００、アクティブタグ１１０、非接触ＩＣカード１２０の動作を、実施の形態１で示した具体的な運用場面例と同様な場面を想定して図１３を用いて説明する。
図１３の１回目の所定時間Ｔ２の期間は、読取装置１００がアクティブタグ１１０を認識できる領域内にアクティブタグ１１０を持つ守衛がいる場合であって、２回目の所定時間Ｔ２の期間は、読取装置１００がアクティブタグ１１０を認識できる領域内にアクティブタグ１１０を持つ守衛がいない場合である。つまり、ここでは、時刻ｔ７の直前に守衛１８０が、急なトラブルに対処するために、アクティブタグ１１０を読取装置１００が認識できる領域の外領域外に移動したという場面を想定している。
【００７９】
（１）読取装置１００がアクティブタグ１１０を認識できる領域内にアクティブタグ１１０を持つ守衛がいる場合
時刻ｔ６から時刻ｔ７までの期間についての動作については、守衛１８０は読取装置１００がアクティブタグ１１０を認識できる領域内にいるためタグ応答信号の送信があるため、実施の形態１の時刻ｔ０から時刻ｔ１までの期間と同様の動作をする。
【００８０】
従って、ここでの説明を省略する。
（２）読取装置１００がアクティブタグ１１０を認識できる領域内にアクティブタグ１１０を持つ守衛がいない場合
時刻ｔ７では、守衛１８０が領域外にいて、入室ゲート１４０を監視していない状態であって、守衛１８０が保持しているアクティブタグ１１０ｂはタグ質問信号を受信しないため、タグ応答信号を送信しない。
【００８１】
タグ認識処理装置２７５は、タグ質問信号を送信してから所定時間Ｔ１内にタグ応答信号を受信しないため、タグの認識に成功しなかったと判断し、タグ状態保持部２９２のカード認証許可フラグを０に設定する（状態１３０４：ステップＳ１２０：Ｎｏ、ステップＳ１４５）。
状態１３０４において、変形カード認証処理装置は、ＨＦ帯の信号としてカード起動信号を送信し（ステップＳ５３０）、カード起動信号を送信してから所定時間Ｔ３までの間に、ユーザが登録カードＩＤを持つカードＡ１２１を読取装置１００にかざすと、カードＡ１２１はカード起動信号を受信し、自器のカードＩＤを含むカード返信信号を作成し、受信したカード起動信号と同じＨＦ帯の信号として送信する（ステップＳ４１０、Ｓ４２０）。
【００８２】
変形カード認証処理装置は、カード起動信号を送信してから所定時間Ｔ３以内にカード返信信号を受信し、受信したカード返信信号のカードＩＤと受信時刻とをアクセス履歴として管理サーバ１３０へ送信するが、カード認証許可フラグが０であることを確認する（ステップＳ５４０〜Ｓ５７０：Ｎｏ）ので、カードの認証に成功しなかったと判断するため、入室ゲート１４０が解錠されることはない（状態１３０５）。
【００８３】
次に変形カード認証処理装置は、ＨＦ帯の信号としてカード起動信号を送信（ステップＳ５３０）し、カードＢ１２２に対する場合もカードＡの場合と同様の動作によって、アクセス履歴を管理サーバ１３０へ送信し、カードの認証に成功しなかったと判断する（状態１３０６）。
このように、実施の形態２の読取装置１００では、タグ認識処理装置２７５がアクティブタグを認識している期間以外の期間にも、変形カード認証処理装置が非接触ＩＣカードと通信し、読取装置１００にアクセスのあった非接触ＩＣカードのカードＩＤと受信時刻とをアクセス履歴として、管理サーバ１３０へ送信する。このため、管理サーバ１３０により、守衛のアクティブタグを認識している期間以外の期間における非接触ＩＣカードによる読取装置へのアクセス履歴を入手することができるようになる。
＜実施の形態３＞
実施の形態１は、入室管理システム１０００に含まれるアクティブタグ１１０がユーザによってスイッチ３７０を介して認識モードを自動認識モードと設定されていて、読取装置１００から送信されるタグ質問信号に応じてタグ応答信号を送信する例であって、登録タグＩＤをもつアクティブタグ１１０が読取装置１００の近くにあるときは、非接触ＩＣカード１２０に対して認証処理を行い、アクティブタグ１１０が読取装置１００の近くにないときは、非接触ＩＣカード１２０に対して認証処理を行わないという例であった。
【００８４】
これに対して、実施の形態３では、アクティブタグ１１０は、アクティブタグ１１０のモードが手動認識モードであって、ユーザがアクティブタグ１１０のボタン３３０を押下した場合にタグ応答信号を送信するように変え、読取装置１００は、タグ応答信号を受信することで、非接触ＩＣカード１２０の認証処理を許可するか否かを切り換えるように変えた例である。
【００８５】
実施の形態１では、守衛が入室ゲートの近くにいない可能性がある場合に有用な形態であるが、実施の形態３は、常に守衛１８０は入室ゲートの近くにいる場合において、常に読取装置１００はアクティブタグ１１０のタグ応答信号を受信する範囲内に存在し、守衛１８０は入室ゲートの近くにいるにも関わらず、入室ゲートから目をそらして用事を済ます必要があり、入室ゲートを監視できない時間が発生する可能性があるとき等に有用となる。
【００８６】
以下実施の形態３について、図面を参照しながら説明する。
＜構成＞
実施の形態１に係る入室管理システム１０００と実施の形態３に係る入室管理システム１０００との構成上の違いは、実施の形態１に係る入室管理システム１０００で使用するタグ認識処理装置２７５を実施の形態３に係るタグ認識処理装置（以下、変形タグ認識処理装置という）に置き換えたというところである。
【００８７】
変形タグ認識処理装置は、ＬＦ帯送信器２６０と、ＬＦ帯用アンテナ２６１と、ＵＨＦ帯受信器２７０と、ＵＨＦ帯用アンテナ２７１と、タグ制御部２９１とから構成される。
ここで、タグ制御部２９１はＬＦ帯送信器２６０とＵＨＦ帯受信器２７０とのやり取りを行い、アクティブタグ１１０との通信を制御し、内部に非接触ＩＣカード１２０の認証を許可するか否かの状態をカード認証許可フラグ（許可する場合カード認証許可フラグが１、許可しない場合カード認証許可フラグが０）として保持するタグ状態保持部２９２を含んでいる。
【００８８】
変形タグ認識処理装置は、アクティブタグ１１０からＵＨＦ帯にて返信されるタグ応答信号をＵＨＦ帯用アンテナ２７１から受信する。
このとき、変形タグ認識処理装置は、タグ応答信号に含まれる読取装置ＩＤが自装置の読取装置ＩＤであり、アクティブタグの識別情報であるタグＩＤが、登録タグＩＤであった場合にこのアクティブタグ１１０の認識に成功したと判断する。
【００８９】
変形タグ認識処理装置は、アクティブタグの認識に成功したと判断した場合、カード認証許可フラグの値が０であれば１に変更し、１であれば０に変更する。
＜動作＞
＜アクティブタグ＞
図８は、アクティブタグ１１０がタグ質問信号を受信した際の処理を示すフローチャートである。
【００９０】
実施の形態３では、アクティブタグ１１０は手動認識モードに設定されている例であるので、ここでは、手動認識モードに設定されている場合の説明をする。
アクティブタグ１１０のＬＦ帯受信器３１０は、ＬＦ帯用アンテナ３１１を介して読取装置１００から送信されたタグ質問信号を受信すると、受信したタグ質問信号を制御部３５０に送信する（ステップＳ３１０）。
【００９１】
制御部３５０は、記憶している認識モードが手動認識モードであるか否かを判定する（ステップＳ３２０）。
認識モードが手動認識モードであるので（ステップＳ３２０：Ｙｅｓ）、制御部３５０は、タイマ３６０を使って所定時間Ｔ４（ここでは３６０ｍｓ）の計測を開始し、所定時間Ｔ４以内に、ボタン３３０が押下されたか否かを判定する（ステップＳ３３０）。
【００９２】
ステップＳ３３０において、所定時間Ｔ４以内にボタン３３０が押下された場合（ステップＳ３３０：Ｙｅｓ）は、制御部３５０は、タグ質問信号に含まれる読取装置ＩＤ１５と、自器のタグＩＤとを含めたタグ応答信号を生成し、受信したタグ質問信号に含まれるＵＨＦチャネル１３で指定された周波数帯にて、ＵＨＦ帯送信器３２０にタグ応答信号を送信させる（ステップＳ３４０）。
【００９３】
ステップＳ３３０において、所定時間Ｔ４以内に、ボタン３３０が押下されなかった場合（ステップＳ３３０：Ｎｏ）、又は、タグ応答信号を送信した場合（ステップＳ３４０）に、アクティブタブ１１０の動作は終了する。
＜変形タグ認識処理装置＞
図１４は、変形タグ認識処理装置が行う、アクティブタグの認識処理を示すフローチャートである。
【００９４】
タグ制御部２９１は、タグ質問信号を送信し（ステップＳ６１０）、所定時間Ｔ１内にＵＨＦ帯受信器２７０を介してタグ応答信号を受信したか否かを判定し（ステップＳ６２０）、タグ応答信号を受信した場合には（ステップＳ６２０：Ｙｅｓ）、受信したタグ応答信号に読取装置１００の読取装置ＩＤ１５と、登録タグＩＤとが含まれているか否かを判定し（ステップＳ６３０）、読取装置ＩＤ１５と登録タグＩＤとが含まれる場合には（ステップＳ６３０：Ｙｅｓ）、タグの認識に成功したと判断し、タグ状態保持部２９２で保持しているカード認証許可フラグが０か否かを判定し（ステップＳ６４０）、カード認証フラグが０である場合には（ステップＳ６４０：Ｙｅｓ）、カード認証許可フラグを１に設定し（ステップＳ６５０）、カード認証フラグが１である場合には（ステップＳ６４０：Ｎｏ）、カード認証許可フラグを０に設定する（ステップＳ６５５）。
【００９５】
タグ制御部２９１は、カード認証許可フラグを０から１に設定した時に制御部２９０を介して通知部２３０の発光ダイオードを点灯し（ステップＳ６５０）、カード認証フラグを１から０に設定した時に制御部２９０を介して通知部２３０の発光ダイオードを消灯する（ステップＳ６５５）。
タグ制御部２９１は、タグ応答信号を受信しなかった場合には（ステップＳ６２０：Ｎｏ）、タグ応答信号を受信するまでステップＳ６１０〜Ｓ６２０を繰り返す。
【００９６】
タグ制御部２９１は、ステップＳ６３０において、受信したタグ応答信号に読取装置１００の読取装置ＩＤ１５が含まれていない場合、又は、受信したタグ応答信号に登録タグＩＤが含まれていない場合（ステップＳ６３０：Ｎｏ）には、タグの認識に成功しなかったと判断し、タグ状態保持部２９２で保持しているカード認証許可フラグは変更せず、再びタグ質問信号を送信する（ステップＳ６１０）。
【００９７】
タグ制御部２９１は、タグ制御部２９１がカード認証フラグを１にした（ステップＳ６５０）場合、又は、タグ制御部２９１がカード認証フラグを０にした（ステップＳ６５５）場合には、タグ認証フラグを１または１に設定してから所定時間Ｔ５待機し（ステップＳ６６０）、再びタグ質問信号を送信する（ステップＳ６１０）。
＜具体例＞
実施の形態３における、読取装置１００、アクティブタグ１１０、非接触ＩＣカード１２０の動作を、実施の形態１及び２で示した具体的な運用場面例と同様な場面を想定して図１５を用いて説明する。
【００９８】
ここでは、アクティブタグ１１０は、ユーザによってスイッチ３７０を介して認識モードを手動認識モードと設定されており、また、タグ状態保持部２９２に保持されている、カード認証許可フラグの初期値は０となっていることを前提とする。
変形タグ認識処理装置は、タグ質問信号に、読取装置ＩＤを含んだ、タグ質問信号をＬＦ帯の信号として時刻ｔ９に送信する（ステップＳ１１０）。
【００９９】
時刻ｔ９において、守衛１８０は入室ゲート１４０を監視できる状態になったので、アクティブタグ１１０のボタン３３０を押下したとする。
守衛１８０は入室ゲート１４０を監視中であって、読取装置１００がアクティブタグ１１０の信号を受信できる範囲内にいるため、守衛１８０が保持しているアクティブタグ１１０ａ（図１５中のタグＡ１１１）のボタン３３０が押下されると読取装置１００の読取装置ＩＤと、自器のタグＩＤとを含むタグ応答信号を作成し、タグ応答信号を送信する（ステップＳ３１０〜Ｓ３４０）。
【０１００】
変形タグ認識処理装置は、タグ応答信号を受信し、タグ応答信号に含まれている読取装置ＩＤが自身の読取装置ＩＤと一致し、タグ応答信号に含まれているタグＩＤが登録タグＩＤと一致することを確認し、タグの認識に成功と判断し、変形タグ認識処理装置は、タグ状態保持部２９２のカード認証許可フラグが０であるので、カード認証許可フラグを１に設定し、通知部２３０の発光ダイオードを点灯する（状態１５０１：ステップＳ６２０〜Ｓ６６０）。
【０１０１】
状態１５０１は実施の形態１における図１０中の状態１００１と同じ状態なので、時刻ｔ９から時刻ｔ１０までの間の動作は、実施の形態１と同様の動作をする。
ここでは、時刻ｔ１０において、守衛１８０は持ち場を離れるわけではないが、不意な来客の対応等の為に、一時的に入室ゲート１４０を監視できなくなるので、アクティブタグ１１０のボタン３３０を押下することとする。
【０１０２】
変形タグ認識処理装置は、タグ質問信号を時刻ｔ１０に送信し、守衛１８０が保持しているアクティブタグ１１０ａ（図１５中のタグＡ１１１）のボタン３３０が押下されると読取装置１００の読取装置ＩＤと、自器のタグＩＤとを含むタグ応答信号を作成し、タグ応答信号を送信する（ステップＳ３１０〜Ｓ３４０）。
変形タグ認識処理装置は、タグ応答信号を受信し、タグ応答信号に含まれている読取装置ＩＤが自身の読取装置ＩＤと一致し、タグ応答信号に含まれているタグＩＤが登録タグＩＤと一致することを確認し、タグの認識に成功したと判断し、変形タグ認識処理装置は、タグ状態保持部２９２のカード認証許可フラグが１であるので、カード認証許可フラグを０に設定し、通知部２３０の発光ダイオードを消灯する（状態１５０４：ステップＳ６２０〜Ｓ６５５）。
【０１０３】
状態１５０４において、カード認証処理装置２８５は、カード認証許可フラグが０になると、カード認証許可フラグが１になるまで非接触ＩＣカードの認証処理を進行しない（ステップＳ１２０：Ｎｏ）ため、カード認証処理装置２８５はカード起動信号を送信せず、従って解錠信号を出力することもない。
カード認証許可フラグが０である期間に、カードＡ１２１、カードＢ１２２を読取装置１００にかざしても、読取装置１００からのカード起動信号を受信しないため、カードの処理が開始せず、カード返信信号を送信しない。
【０１０４】
このように、実施の形態３の読取装置１００を用いると、タグ認識処理装置２７５が非接触ＩＣカードの認証処理を行うか否かの切り替えを、読取装置１００がアクティブタグ１１０を認識できる領域内に存在するアクティブタグ１１０のボタン３３０の押下によって切り替えることができるため、このアクティブタグ１１０を所有している守衛が、なんらかの理由で入室ゲートを監視できなくなった場合に、アクティブタグ１１０のボタン３３０を押下することで非接触ＩＣカードの認証処理を行わないように切り替え、また、監視ができるようになった場合に、アクティブタグ１１０のボタン３３０を押下することで非接触ＩＣカードの認証処理を行うように切り替えることができるようになる。
＜補足＞
以上、本発明に係る読取装置及び認証システムの一実施形態として入室の管理を行う入室管理システムに読取装置を使用している例に基づいて説明したが、以下のように変形することも可能であり、本発明は上述した実施の形態で示した通りの読取装置及び認証システムに限られないことはもちろんである。
（１）実施の形態１〜３において、アクティブタグが１個の場合についてのみ説明したが、アクティブタグが複数であって、それぞれのアクティブタグがお互いに異なるタグＩＤを記憶していても構わない。
【０１０５】
この場合、管理サーバ１３０が記憶する入室ゲート守衛リストは、各入室ゲートに対応する読取装置ＩＤとその入室ゲートを監視する守衛が所有する複数のアクティブタグのタグＩＤとを対応付けたデータになっていて、管理サーバ１３０は、読取装置１００に、入室ゲート１４０に対応する複数のタグＩＤを送信し、読取装置１００は、送信された複数のタグＩＤを記憶するようにする。
【０１０６】
アクティブタグが複数あれば、例えば複数の守衛がそれぞれアクティブタグを持つようにすることで、守衛の勤務交代時等にわざわざアクティブタグを交換する必要がなくなるといった、運用上の使い勝手を向上することが可能となる。
（２）実施の形態１〜３において、タグ質問信号が、ＵＨＦチャネル１３、読取装置ＩＤ１５の順番に配置して構成されている例について説明したが、これ以外の順番であっても構わないし、タグ応答信号が、読取装置ＩＤ２３、タグＩＤ２４の順番に配置して構成されている例について説明したが、これ以外の順番であっても構わない。
（３）実施の形態１において、Ｔ１は３６０ｍｓ、Ｔ２は３６０ｍｓ、Ｔ３は５０ｍｓ、Ｔ４は３６０ｍｓ、Ｔ５は１ｓとしているが、Ｔ２がＴ１より長いか同じ時間であれば、Ｔ１、Ｔ２、Ｔ３、Ｔ４、Ｔ５はこれら以外の時間であっても構わない。
（４）実施の形態１において、アクティブタグ１１０は、タグ応答信号としてＵＨＦ帯の周波数帯で送信する場合について説明したが、ＬＦ帯の周波数帯で送信するようにしても構わない。
（５）実施の形態１〜３において、読取装置１００がアクティブタグ１１０を認識できる領域はおよそ３ｍである場合について説明したが、管理者等によって操作部２２０を介して管理者等によってタグ質問信号の強度を設定した結果として、読取装置１００がアクティブタグ１１０を認識できる領域はおよそ３ｍ以外の距離になっても構わない。
（６）実施の形態１〜３において、通知部２３０は、発光ダイオード等を含むものであり、タグ状態保持部２９２のカード認証許可フラグが１である場合に表示ランプが点灯し、カード認証許可フラグが０である場合に表示ランプが消灯するとしたが、カード認証許可フラグが１であるか０であるかを区別して表示するものでれば構わないし、通知部２３０がない構成であっても構わない。
（７）実施の形態１〜３において、読取装置１００の制御部２９０と、タグ制御部２９１と、カード制御部２９３とがそれぞれ別々のＣＰＵや回路で構成されても構わないし、１つのＣＰＵまたは回路で構成されていて、タグ認識処理やカード認証処理等の処理が、いわゆるマルチタスク制御等により疑似並列的に実行されるようにしても構わない。
（８）実施の形態１又は２において、ユーザは、アクティブタグ１１０のスイッチ３７０を通じて、制御部３５０の記憶する認識モードが自動認識モードであるか手動認識モードであるか変更することできるとしたが、アクティブタグ１１０は、スイッチ３７０を備えず、手動認識モードを備えていない構成にしても構わない。
（９）実施の形態３において、タグ認識処理装置２７５を変形タグ認識処理装置に置き換えた例について説明したが、タグ認識処理装置２７５が変形タグ認識処理装置の機能を合わせてもっていて、入室管理システム１０００の管理者等が、読取装置１００の操作部２２０を通じてタグ認識処理装置２７５の動作を変形タグ認識処理装置の動作になるように設定できるようにしても構わない。
【符号の説明】
【０１０７】
１００  読取装置
１１０、１１０ａ、１１０ｂ  アクティブタグ
１２０  非接触ＩＣカード
１３０  管理サーバ
１４０  入室ゲート
１５０  解錠装置
２７５  タグ認識処理装置
２８５  カード認証処理装置
２９２  タグ状態保持部
１０００  入室管理システム
【図１】
2010198049.tif 000003
【図２】
2010198049.tif 000004
【図３】
2010198049.tif 000005
【図４】
2010198049.tif 000006
【図５】
2010198049.tif 000007
【図６】
2010198049.tif 000008
【図７】
2010198049.tif 000009
【図８】
2010198049.tif 000010
【図９】
2010198049.tif 000011
【図１０】
2010198049.tif 000012
【図１１】
2010198049.tif 000013
【図１２】
2010198049.tif 000014
【図１３】
2010198049.tif 000015
【図１４】
2010198049.tif 000016
【図１５】
2010198049.tif 000017